【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
信号干渉除去を選択的にできるようにするための１つに記載の方法であって、
複数の信号パスを識別する段階と、
前記識別された信号パスの１つのセットに対して、１つの観測された信号強度を判定する段階と、
前記識別された複数の信号パスの少なくとも１つを、観測された信号強度に少なくとも部分的に基づいて、１つの潜在的干渉因子として識別する段階と、
少なくとも１つの第一干渉除去済信号流を生成すること、なお識別された信号パスの少なくとも１つを潜在的干渉因子として前記識別することは、少なくとも第一信号強度を有する信号パスの第一数を識別する段階と
を備える、方法。
【請求項２】
前記少なくとも１つの干渉除去済第一信号流を、少なくとも１つの第一信号プロセッサへ供給することにより、前記少なくとも１つの第一信号プロセッサに割り当てられた少なくとも１つの第一信号パスの１つの信号対ノイズ比が改善されるかどうかを判定する段階と、
前記少なくとも１つの干渉除去済第一信号流が、前記少なくとも１つの第一信号プロセッサに割り当てられた、前記信号パスの１つの信号対ノイズ比を改善すると判定されると、これに応じて、前記少なくとも１つの干渉除去済第一信号流を前記少なくとも第一信号プロセッサへ供給する段階と
を更に備える、
請求項１に記載の方法。
【請求項３】
前記少なくとも１つの干渉除去済第一信号流を、前記少なくとも１つの第一信号プロセッサへ供給することにより、少なくとも１つの前記第一信号プロセッサに割り当てられた少なくとも１つの第一信号パスの１つの信号対ノイズ比が改善されるかどうかを判定する段階と、
前記少なくとも１つの干渉除去済第一信号流が、前記少なくとも１つの第一信号プロセッサに割り当てられた、前記少なくとも１つの第一信号パスの信号対ノイズ比を改善しないと判定されると、これに応じて、前記少なくとも１つの干渉除去済第一信号流の生成の前記ステップを中止する段階と
を更に備える、請求項１に記載の方法。
【請求項４】
干渉除去されていない信号流を、前記少なくとも１つの第一信号プロセッサへ供給する段階を更に備える、請求項３に記載の方法。
【請求項５】
前記識別された複数の信号パスのセットが割り当てられた信号パスのセットを含む、請求項１に記載の方法。
【請求項６】
前記割り当てられた複数の信号パスのセットが復調パス・リストから得られる、請求項５に記載の方法。
【請求項７】
前記複数の潜在的干渉因子を除去候補リストに記載する段階を更に備える、請求項１に記載の方法。
【請求項８】
前記除去予定リスト中の１つの信号パスを、除去候補リスト中の前記複数の潜在的干渉因子の１つで置き換えることによって、前記除去予定リストを更新する段階を更に備え、前記信号パスが、前記除去候補リスト中の前記複数の潜在的干渉因子の１つ因子の１つの信号強度よりも小さい信号強度を有する、請求項７に記載の方法。
【請求項９】
前記除去予定から複数の信号パスを１つのチャンネル判定リストへ入力することによって、前記チャンネル判定リストを更新する段階を更に備える、請求項１に記載の方法。
【請求項１０】
１つの調査パス・リストを生成するために前記複数の信号パスの識別を格納する段階と、
１つの干渉除去済信号流を１つの探索エレメントへ供給する段階と、
前記調査パス・リストを更新する段階と
を更に備える、請求項１に記載の方法。
【請求項１１】
前記複数の信号パスの識別を、１つの調査パス・リストを生成するために格納する段階と、
１つの干渉除去済信号流を１つの相関器エレメントへ供給する段階と、
前記調査パス・リストを更新する段階と
を更に備える、請求項１に記載の方法。
【請求項１２】
前記少なくとも１つの干渉除去済第一信号の識別を格納する段階を更に備える、請求項１に記載の方法。
【請求項１３】
信号干渉除去を選択的に有効にする１つに記載の方法であって、
複数の信号パスを識別する段階と、
前記識別された複数の信号パスのセットに対して、１つの観測された信号強度を判定し及び前記識別された複数の信号パスを複数の潜在的干渉因子として識別する段階であって、前記識別された複数の信号パスを複数の潜在的干渉因子として識別することは、少なくとも１つの第一信号強度を有する信号パスの１つの第一数を識別することを含む段階と、
少なくとも１つの干渉除去済第一信号流を、少なくとも１つの第一信号プロセッサへ供給することによって、前記少なくとも１つの第一信号プロセッサに割り当てられた１つの信号パスの１つの信号対ノイズ比が改善されたかどうかを判定する段階と、
前記少なくとも１つの干渉除去済第一信号流が、前記少なくとも１つの第一信号プロセッサの１つの信号対ノイズ比を改善すると判定されると、これに応じて、前記少なくとも１つの干渉除去済第一信号流を前記少なくとも１つの第一信号プロセッサへ供給する段階と
を備える、方法。
【請求項１４】
前記少なくとも１つの干渉除去済第一信号流を生成する段階を更に備える、請求項１３に記載の方法。
【請求項１５】
前記少なくとも１つの干渉除去済第一信号流が、前記少なくとも１つの第一信号プロセッサに割り当てられた、前記複数の信号パスの他の１つの信号対ノイズ比を改善しないと判定されると、これに応じて、前記少なくとも１つの干渉除去済第一信号流を前記少なくとも１つの第一信号プロセッサへ供給することを中止する段階を更に備える、請求項１３に記載の方法。
【請求項１６】
複数の干渉信号パスを除去する１つの装置であって、
複数の復調フィンガと、
１つの第一モードで１つの干渉除去済信号流を、１つの第二モードで１つの干渉除去のない信号流を、前記複数の復調フィンガの各々へ選択的に供給するよう動作可能な１つの除去コントローラであり、別の信号流からの１つの干渉信号パスの少なくとも１つの複製を除去するよう動作可能な１つの信号除去モジュールを含む除去コントローラと
を備える、装置。
【請求項１７】
１つの探索フィンガであって、前記除去コントローラがそのフィンガへ１つの干渉除去済信号流又は１つの干渉除去のない信号流のいずれかを選択的に供給する、前記探索フィンガを更に備える、請求項１６に記載の装置。
【請求項１８】
前記除去コントローラが、１つの干渉信号パスの前記少なくとも１つの複製を信号除去モジュールに供給するよう動作可能な１つのチャンネル判定モジュールを更に備える、請求項１６に記載の装置。
【請求項１９】
前記除去コントローラが、
各々が１つの干渉信号パスの１つの複製を供給するよう動作可能な、複数のチャンネル判定モジュールと、
各々が別の信号流からの１つの干渉信号パスの少なくとも１つの複製を除去するよう動作可能な複数の信号除去モジュールと
を備える、請求項１８に記載の装置。
【請求項２０】
前記複数の復調フィンガの中の複数の復調フィンガの数が、前記複数のチャンネル判定モジュールの中の複数のチャンネル判定モジュールの数より多い、請求項１９に記載の装置。
【請求項２１】
第一数の復調フィンガが前記複数の復調フィンガ中に含まれ、同様個数のチャンネル判定モジュールが前記複数のチャンネル判定モジュール中に含まれ、同様個数の信号除去モジュールが前記複数の信号除去モジュール中に含まれる、請求項１９に記載の装置。
【請求項２２】
前記複数の復調フィンガの各々が１つの経路設定モジュール及び１つの復調モジュールを含む、請求項１６に記載の装置。
【請求項２３】
１つの通信装置であって、
１つの未処理信号流を受信するための手段と、
前記未処理信号流中に含まれる複数の信号パスを復調するための手段と、
前記未処理信号流から前記複数の信号パスの少なくとも１つの第一パスを除去し、少なくとも１つの干渉除去済第一信号流を形成するための手段と、
前記未処理信号流及び前記干渉除去済信号流のいずれか又は両方を、前記復調のための手段へ選択的へ供給するための手段と
を備える、装置。
【請求項２４】
前記選択的供給のための手段が、前記干渉除去済信号流内の前記複数の信号パスの少なくとも１つの第二パスの１つの強度が、前記未処理信号流中の１つの強度より大きいという１つの判定に応じて、前記干渉除去済信号流を前記復調のための手段へ供給する、請求項２３に記載の装置。
【請求項２５】
前記選択的供給のための手段が、前記未処理信号流内の前記複数の信号パスの少なくとも１つの第二パスの１つの強度が、前記の干渉除去済信号流中の１つの強度より大きいという１つの判定に応じて、前記未処理信号流を前記復調のための手段へ供給する、請求項２３に記載の装置。
【手続補正２】
【補正対象書類名】明細書
【補正対象項目名】００２８
【補正方法】変更
【補正の内容】
【００２８】
除去候補リスト４２０に含まれる複数の最大強度の信号パスが、１つの除去予定リスト又は表４２０に割り当てられる。図１３に示すように、本発明の１つの実施形態において、除去予定リスト４２０は、最大ｎの複数信号パスを包含し、ｎは、除去コントローラ２２８が具備するチャンネル判定モジュール２３２の数に対応する。したがって、潜在的干渉信号の数がチャンネル判定モジュール２３２の数を上回る場合には、除去予定リスト４１６に、ｎの最も高い強度の複数の潜在的干渉信号パスを含めることができる。図１３を参照すると、本発明の１つの実施形態における１つの除去予定リストの複数の内容が図示されている。一般に、除去予定リスト４２０は、１つの復調フィンガ２２４及び対応する１つの信号パス１３０４のための１つの入力欄を含む。特に、除去予定リスト４２０は、除去されることになる複数の信号パスを識別する。
【手続補正３】
【補正対象書類名】明細書
【補正対象項目名】００４３
【補正方法】変更
【補正の内容】
【００４３】
図８を参照すると、本発明の１つの実施形態において、信号パスを除去予定リスト４２０に加えるための１つのプロセスが図解されている。最初に、ステップ８００において、ｐは除去候補リスト４２０中の第１パスに等しく設定される。ステップ８０４においてパスｐは除去予定リスト４２０に加えられる。そこで、チャンネル判定の１つの更新が実施され、チャンネル判定モジュールへのしかるべき複数の接続が有効にされる（ステップ８０８）。ステップ８１２において、除去候補リスト４２０中にさらなるパスがあるかどうか１つの判定がされる。さらなるパスがある場合には、ｐは、除去候補リスト４２０中の次の要素に等しく設定され（ステップ８１６）、プロセスはステップ８０４へ戻る。除去候補リスト４２０中にそれ以上のパスがない場合には、プロセスは調査パス・リスト４０４の更新へと進むことになる（ステップ８２０）。